(57)【要約】【課題】２本の指を用いて表示倍率を変更する方法には、片手で表示倍率を変更できないという問題がある。そのため、ユーザの意思に基づきつつ、片手で表示倍率を変更可能な携帯電子機器を、提供する。【解決手段】携帯電子機器は、表示部と、タッチパネルによる操作を検出する操作部と、ユーザと携帯電子機器の間の距離を、ユーザ距離として測定する距離測定部と、操作部によるタッチパネル上の押下点の検出が継続している間のユーザ距離の変化に応じて、表示部に表示する画像の表示倍率を変更する制御部と、を備える。【選択図】図１
2014078823.tif 000002
【特許請求の範囲】
【請求項１】
表示部と、
タッチパネルによる操作を検出する操作部と、
を備える携帯電子機器であって、
ユーザと前記携帯電子機器の間の距離を、ユーザ距離として測定する距離測定部と、
前記操作部による前記タッチパネル上の押下点の検出が継続している間の前記ユーザ距離の変化に応じて、前記表示部に表示する画像の表示倍率を変更する制御部と、
を備えることを特徴とする携帯電子機器。
【請求項２】
前記制御部は、ユーザが前記タッチパネルを所定の時間以上、押下した場合に、前記表示倍率の変更を可能とする表示倍率変更モードに遷移する請求項１の携帯電子機器。
【請求項３】
前記制御部は、ユーザによる前記タッチパネルの押下が解除された場合に、前記表示倍率変更モードを解除する請求項２の携帯電子機器。
【請求項４】
前記制御部は、前記タッチパネルの押下点に所定の力以上の力が加わった場合に、表示倍率変更モードに遷移する請求項２又は３の携帯電子機器。
【請求項５】
前記距離測定部は、画像の撮像が可能なカメラモジュールを含み、
前記距離測定部は、前記カメラモジュールが取得した画像から、ユーザの顔に相当する領域を顔画像として抽出すると共に、前記顔画像の大きさの変化に基づいて前記ユーザ距離を測定する請求項１乃至４のいずれか一に記載の携帯電子機器。
【請求項６】
前記距離測定部は、赤外線センサを含んで構成され、前記赤外線センサの出力に基づき、前記ユーザ距離を測定する請求項１乃至４のいずれか一に記載の携帯電子機器。
【請求項７】
前記距離測定部は、加速度センサを含んで構成され、
前記制御部は、前記加速度センサの出力から得られる移動方向又は移動距離に基づき、前記表示倍率を変更する請求項１乃至４のいずれか一に記載の携帯電子機器。
【請求項８】
表示部と、
タッチパネルによる操作を検出する操作部と、
を備える携帯電子機器の制御方法であって、
ユーザと前記携帯電子機器の間の距離を、ユーザ距離として測定する距離測定工程と、
前記操作部による前記タッチパネル上の押下点の検出が継続している間の前記ユーザ距離の変化に応じて、前記表示部に表示する画像の表示倍率を変更する表示倍率変更工程と、
を含むことを特徴とする携帯電子機器の制御方法。
【請求項９】
ユーザが前記タッチパネルを所定の時間以上、押下した場合に、前記表示倍率の変更を可能とする表示倍率変更モードに遷移する工程を含む請求項８の携帯電子機器の制御方法。
【請求項１０】
表示部と、
タッチパネルによる操作を検出する操作部と、
ユーザと前記携帯電子機器の間の距離を、ユーザ距離として測定する距離測定部と、
を備える携帯電子機器を制御するコンピュータに実行させるプログラムであって、
前記操作部による前記タッチパネル上の押下点の検出が継続している間の前記ユーザ距離の変化に応じて、前記表示部に表示する画像の表示倍率を変更する表示倍率変更処理を実行するプログラム。
【発明の詳細な説明】
【技術分野】
【０００１】
本発明は、携帯電子機器、その制御方法及びプログラムに関する。特に、表示部を備える携帯電子機器、その制御方法及びプログラムに関する。
【背景技術】
【０００２】
近年、携帯電話、スマートフォン、タブレットＰＣ（Personal Computer）、デジタルカメラ、デジタルビデオカメラ、ノートＰＣ、ゲーム機、ＰＤＡ（Personal Data Assistants；携帯情報端末）等の携帯電子機器が普及している。このような携帯電子機器は、より多くの情報を効率的にユーザに提供するため、可能な限り大きな表示部を持つものが多い。同時に、タッチパネルとアイコン等の表示を使ったＧＵＩ（Graphical User Interface）によりユーザの操作を受け付ける携帯電子機器が多い。
【０００３】
ここで、携帯電子機器の表示部に表示する情報（例えば、文字や画像等）の最適な大きさ（倍率）は、ユーザごとに異なる。そのため、携帯電子機器は、表示倍率を変更するための操作が用意されていることが多い。
【０００４】
図７及び図８は、ユーザによる表示倍率の変更操作を説明するための図である。ユーザによる表示倍率の変更操作の一例としては、携帯電子機器２のタッチパネル上に２本の指を置き、２本の指の間隔を拡げることで、表示を拡大する操作が考えられる（図７及び図８参照）。あるいは、タッチパネル上の２本の指の間隔を狭めることで、表示を縮小する（図８参照）。
【０００５】
ここで、特許文献１において、ユーザと携帯電子機器の間の距離に応じて、表示倍率を変更する技術が開示されている。
【先行技術文献】
【特許文献】
【０００６】
【特許文献１】特開２０１０−２５８６０３号公報
【発明の概要】
【発明が解決しようとする課題】
【０００７】
なお、上記先行技術文献の開示を、本書に引用をもって繰り込むものとする。以下の分析は、本発明者らによってなされたものである。
【０００８】
上述したように、近年の携帯電子機器では、表示部の大画面化が顕著である。そのため、表示倍率を変更する手段が必要となるが、２本の指を用いて表示倍率を変更する方法には、片手で表示倍率を変更できないという問題がある。つまり、２本の指をタッチパネルに接触させるためには、他方の手で携帯電子機器を握る必要がある。しかし、満員電車等の環境では、必ずしも両手を使って携帯電子機器を操作できるとは限らない。あるいは、携帯電子機器を机においた状態であれば、片手による操作で表示倍率を変更することが可能だが、携帯電子機器を机において操作するのは希な状況であると言える。
【０００９】
また、特許文献１が開示するように、ユーザと携帯電子機器の間の距離だけで表示倍率を変更すると、ユーザの意図に反した表示倍率が設定される恐れもある。例えば、写真等の画像を確認する際に、ユーザは全体の外観を把握したいと考えているにも関わらず、携帯電子機器が倍率を自動的に変更すると、ユーザの意図に反する。
【００１０】
以上のことから、ユーザの意思に基づきつつ、片手で表示倍率を変更可能な携帯電子機器、その制御方法及びプログラムが、望まれる。
【課題を解決するための手段】
【００１１】
本発明の第１の視点によれば、表示部と、タッチパネルによる操作を検出する操作部と、を備える携帯電子機器であって、ユーザと前記携帯電子機器の間の距離を、ユーザ距離として測定する距離測定部と、前記操作部による前記タッチパネル上の押下点の検出が継続している間の前記ユーザ距離の変化に応じて、前記表示部に表示する画像の表示倍率を変更する制御部と、を備える携帯電子機器が提供される。
【００１２】
本発明の第２の視点によれば、表示部と、タッチパネルによる操作を検出する操作部と、を備える携帯電子機器の制御方法であって、ユーザと前記携帯電子機器の間の距離を、ユーザ距離として測定する距離測定工程と、前記操作部による前記タッチパネル上の押下点の検出が継続している間の前記ユーザ距離の変化に応じて、前記表示部に表示する画像の表示倍率を変更する表示倍率変更工程と、を含む携帯電子機器の制御方法が提供される。
なお、本方法は、表示部と、タッチパネルによる操作を検出する操作部と、を備える携帯電子機器という、特定の機械に結びつけられている。
【００１３】
本発明の第３の視点によれば、表示部と、タッチパネルによる操作を検出する操作部と、ユーザと前記携帯電子機器の間の距離を、ユーザ距離として測定する距離測定部と、を備える携帯電子機器を制御するコンピュータに実行させるプログラムであって、前記操作部による前記タッチパネル上の押下点の検出が継続している間の前記ユーザ距離の変化に応じて、前記表示部に表示する画像の表示倍率を変更する表示倍率変更処理を実行するプログラムが提供される。
なお、このプログラムは、コンピュータが読み取り可能な記憶媒体に記録することができる。記憶媒体は、半導体メモリ、ハードディスク、磁気記録媒体、光記録媒体等の非トランジェント（ｎｏｎ−ｔｒａｎｓｉｅｎｔ）なものとすることができる。本発明は、コンピュータプログラム製品として具現することも可能である。
【発明の効果】
【００１４】
本発明の各視点によれば、ユーザの意思に基づきつつ、片手で表示倍率を変更可能な携帯電子機器、その制御方法及びプログラムが、提供される。
【図面の簡単な説明】
【００１５】
【図１】一実施形態の概要を説明するための図である。
【図２】第１の実施形態に係る携帯電子機器１の正面図の一例を示す図である。
【図３】携帯電子機器１の内部構成の一例を示す図である。
【図４】ユーザによる携帯電子機器１の使用態様の一例を示す図である。
【図５】ユーザが、表示倍率を変更する際の操作を説明するための図である。
【図６】携帯電子機器１の動作の一例を示すフローチャートである。
【図７】ユーザによる表示倍率の変更操作を説明するための図である。
【図８】ユーザによる表示倍率の変更操作を説明するための図である。
【発明を実施するための形態】
【００１６】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１７】
上述のように、ユーザの意思に基づきつつ、片手で表示倍率を変更可能な携帯電子機器が、望まれる。
【００１８】
そこで、一例として図１に示す携帯電子機器１００を提供する。携帯電子機器１００は、表示部１０１と、タッチパネルによる操作を検出する操作部１０２と、ユーザと携帯電子機器の間の距離を、ユーザ距離として測定する距離測定部１０３と、操作部１０２によるタッチパネル上の押下点の検出が継続している間のユーザ距離の変化に応じて、表示部１０１に表示する画像の表示倍率を変更する制御部１０４と、を備える。
【００１９】
携帯電子機器１００は、距離測定部１０３が測定したユーザ距離に基づき、表示部１０１に表示された画像の表示倍率を決定する。その際、ユーザは、操作部１０２に対して操作を継続（タッチパネルを押し続ける等）しなければ、表示倍率が変更されることがない。即ち、携帯電子機器１００は、ユーザの意図に応じて、表示部１０に表示された画像の表示倍率を変更する。
【００２０】
また、ユーザはタッチパネル上の一点を押下したまま、ユーザ距離を変更する操作を行えばよく、２本の指を用いて表示倍率を変更する必要はない。従って、ユーザの意思に基づきつつ、片手で表示倍率を変更可能な携帯電子機器が、提供できる。
【００２１】
さらに、下記の形態が可能である。
【００２２】
［形態１］
上記第１の視点に係る携帯電子機器のとおりである。
［形態２］
前記制御部は、ユーザが前記タッチパネルを所定の時間以上、押下した場合に、前記表示倍率の変更を可能とする表示倍率変更モードに遷移することが好ましい。
［形態３］
前記制御部は、ユーザによる前記タッチパネルの押下が解除された場合に、前記表示倍率変更モードを解除することが好ましい。
［形態４］
前記制御部は、前記タッチパネルの押下点に所定の力以上の力が加わった場合に、表示倍率変更モードに遷移することが好ましい。
［形態５］
前記距離測定部は、画像の撮像が可能なカメラモジュールを含み、
前記距離測定部は、前記カメラモジュールが取得した画像から、ユーザの顔に相当する領域を顔画像として抽出すると共に、前記顔画像の大きさの変化に基づいて前記ユーザ距離を測定することが好ましい。
［形態６］
前記距離測定部は、赤外線センサを含んで構成され、前記赤外線センサの出力に基づき、前記ユーザ距離を測定することが好ましい。
［形態７］
前記距離測定部は、加速度センサを含んで構成され、
前記制御部は、前記加速度センサの出力から得られる移動方向又は移動距離に基づき、前記表示倍率を変更することが好ましい。
［形態８］
上記第２の視点に係る携帯電子機器の制御方法のとおりである。
［形態９］
ユーザが前記タッチパネルを所定の時間以上、押下した場合に、前記表示倍率の変更を可能とする表示倍率変更モードに遷移する工程を含むことが好ましい。
［形態１０］
ユーザによる前記タッチパネルの押下が解除された場合に、前記表示倍率変更モードを解除する工程を含むことが好ましい。
［形態１１］
上記第３の視点に係るプログラムのとおりである。
［形態１２］
ユーザが前記タッチパネルを所定の時間以上、押下した場合に、前記表示倍率の変更を可能とする表示倍率変更モードに遷移する処理を実行することが好ましい。
［形態１３］
ユーザによる前記タッチパネルの押下が解除された場合に、前記表示倍率変更モードを解除する処理を実行することが好ましい。
【００２３】
以下に具体的な実施の形態について、図面を参照してさらに詳しく説明する。
【００２４】
［第１の実施形態］
第１の実施形態について、図面を用いてより詳細に説明する。
【００２５】
図２は、本実施形態に係る携帯電子機器１の正面図の一例を示す図である。携帯電子機器１は、表示部１０と、レンズ２０と、を備えている。
【００２６】
表示部１０は、液晶パネル等の表示パネルを含んで構成され、ユーザに対して、撮影画像やメニュー表示等を提供する。
【００２７】
携帯電子機器１は、カメラ機能を備えており、レンズ２０を介した撮影が可能である。レンズ２０は、ユーザの顔画像が取得可能に設置されている。
【００２８】
図３は、携帯電子機器１の内部構成の一例を示す図である。
【００２９】
携帯電子機器１は、表示部１０と、操作部３０と、距離測定部４０と、制御部５０と、記憶部６０と、を含んで構成される。なお、図３には、簡単のため、本実施形態に係る携帯電子機器１に関係するモジュールに限り記載する。
【００３０】
表示部１０は、上述したとおりであって、さらなる説明を省略する。
【００３１】
操作部３０は、ユーザの携帯電子機器１に対する操作を受け付ける。より具体的には、操作部３０は、タッチパネルと、タッチパネルを駆動するドライバを含んで構成されている。操作部３０は、ユーザがタッチパネル上に触れた位置を制御部５０に出力する。なお、タッチパネルの方式には、静電容量方式を初めとして各種存在するが、その方式は問わない。例えば、ユーザの指等の物体が近接したことを検出する近接検出型のタッチパネルを用いることも可能である。
【００３２】
距離測定部４０は、レンズ２０や撮像素子（図示せず）等から構成されるカメラモジュールを含む。距離測定部４０は、ユーザの顔を含む画像を取得し、取得した画像からユーザと携帯電子機器１の間の距離（上述のユーザ距離）を測定する。より具体的には、距離測定部４０は、カメラモジュールから取得した画像から、ユーザの顔に相当する領域を抽出し、抽出した顔画像の大きさを算出する。一方、携帯電子機器１は、ユーザが携帯電子機器１を購入した直後に、異なる２つの距離で自らの顔を撮影するメニューを備える。本メニューにおいて、ユーザと携帯電子機器１の間を第１の距離として、ユーザの顔を撮影する。同様に、ユーザと携帯電子機器１の間を第２の距離として、ユーザの顔を撮影する。第１及び第２の距離は予め携帯電子機器１が指定する距離とすれば、距離の変化と顔画像の変化の相関関係が把握できる。距離測定部４０は、この相関関係に対し抽出した顔画像の大きさをあてはめ、ユーザ距離を算出する。距離測定部４０は、測定したユーザ距離を制御部５０に出力する。
【００３３】
制御部５０は、携帯電子機器１の全体を制御すると共に、図３に示す各部を制御する。記憶部６０は、制御部５０の動作に必要な情報や撮影画像等の記憶を行う。なお、制御部５０は、携帯電子機器１に搭載されたコンピュータに、そのハードウェアを用いて、後に詳述する制御部５０の処理を実行させるコンピュータプログラムにより実現することもできる。
【００３４】
次に、携帯電子機器１の動作について説明する。
【００３５】
携帯電子機器１の動作の説明にあたり、ユーザは表示部１０に表示された画像を拡大又は縮小する操作を行うものとする。
【００３６】
図４は、ユーザによる携帯電子機器１の使用態様の一例を示す図である。
【００３７】
表示された画像の拡大を望むユーザは、拡大したい中心点を所定の時間以上、押下する。図４では、押下位置１１は、ユーザが拡大を望む画像の中心点とする。
【００３８】
携帯電子機器１は、所定の時間以上、押されている位置が存在すれば、通常の動作モード（携帯電子機器１が備えるアプリケーションを操作するモードやメニュー表示するモード等）から、表示倍率変更モードに遷移する。その際、携帯電子機器１は、「表示倍率変更モードに設定されました」等のメッセージを、ユーザに対して提供してもよい。次に、ユーザは、携帯電子機器１を自らの顔に近づける、又は、顔から遠ざける操作を行う（図５参照）。
【００３９】
携帯電子機器１は、距離測定部４０が測定するユーザ距離に応じて、表示倍率を変更する。より具体的には、ユーザ距離が短くなれば、表示部１０に表示された画像を拡大する。なお、表示部１０に表示された画像を拡大する場合には、押下位置１１を中心として、表示を拡大する。
【００４０】
一方、ユーザ距離が長くなれば、表示部１０に表示された画像を縮小する。表示を縮小する際には、タッチパネル上の押下位置に依らず、ユーザと携帯電子機器１の間の距離に応じて、縮小率を決定する。
【００４１】
続いて、表示倍率を変更する際の携帯電子機器１に含まれる各部の動作について説明する。
【００４２】
図６は、携帯電子機器１の動作の一例を示すフローチャートである。
【００４３】
制御部５０は、ユーザによるタッチパネルの押下が、所定の時間以上、継続したか否かを判定する（ステップＳ０１）。ユーザが所定の時間以上、タッチパネルを押下している場合（ステップＳ０１、Ｙｅｓ分岐）には、制御部５０は、動作モードを表示倍率変更モードに設定する（ステップＳ０２）。ユーザが所定の時間以上、タッチパネルを押下してなければ（ステップＳ０１、Ｎｏ分岐）、ステップＳ０１の判断を継続する。
【００４４】
ステップＳ０３において、制御部５０は、距離測定部４０からユーザ距離を入手する。なお、距離測定部４０におけるユーザ距離の測定は、予め定めた一定間隔で行われる。
【００４５】
ステップＳ０４において、制御部５０は、ユーザ距離が短くなったか否かを判断する。ユーザ距離が短くなった場合（ステップＳ０４、Ｙｅｓ分岐）には、制御部５０は、表示部１０に表示された画像を拡大する（ステップＳ０５）。
【００４６】
ユーザ距離が短くなっていない場合（ステップＳ０４、Ｎｏ分岐）には、制御部５０は、ユーザ距離が長くなったか否かを判断する（ステップＳ０６）。ユーザ距離が長くなった場合（ステップＳ０６、Ｙｅｓ分岐）には、制御部５０は、表示部１０に表示された画像を縮小する（ステップＳ０７）。
【００４７】
ユーザ距離が長くなっていない場合（ステップＳ０６、Ｎｏ分岐）には、ステップＳ０３以降の処理を継続する。
【００４８】
ステップＳ０８において、制御部５０は、ユーザによるタッチパネルの押下が解除されたか否かを判断する。タッチパネルの押下が解除されていれば（ステップＳ０８、Ｙｅｓ分岐）、制御部５０は表示倍率変更モードを解除し、通常モードに遷移する。タッチパネルの押下が解除されてなければ（ステップＳ０８、Ｎｏ分岐）、ステップＳ０３以降の処理を継続する。
【００４９】
以上のように、本実施形態に係る携帯電子機器１は、ユーザと携帯電子機器１の間の距離（ユーザ距離）に基づき、表示部１０に表示された画像の表示倍率を決定する。その際、ユーザが、タッチパネル上を所定の時間以上、押下しなければ、表示倍率変更モードに遷移することがない。従って、ユーザの意図を無視して、表示部１０に表示された画像の表示倍率を自動的に変更しない。
【００５０】
また、ユーザはタッチパネル上の一点を押下したまま、携帯電子機器１を自らに近づける、又は、遠ざける操作をすればよく、２本の指を用いて表示倍率を変更する必要はない。従って、携帯電子機器１のユーザは、複雑な操作（煩雑な操作）を行わなくとも、容易に表示部１０に表示された画像の表示倍率を変更することができる。
【００５１】
ここで、２本の指を使用して、表示部１０に表示された画像を拡大しようとすれば、拡大した中心点がタッチパネルにより正確に把握されず、拡大したい箇所とずれた場所が拡大されてしまう懸念が生じる。あるいは、タッチパネルの性能によっては、２の指の認識が不十分であって、１本の指に限り認識され、ユーザの操作が１本の指を動かした行為とみなされる恐れもある。このような場合に、画面が指に合わせてずれてしまうという問題が生じる可能性がある。
【００５２】
しかし、本実施形態に係る携帯電子機器１では、ユーザは、拡大したい中心点を押下したまま、携帯電子機器１を自らに近づければよいため、ユーザが意図する点を中心に画像を拡大することができる。
【００５３】
以上のように、本実施形態に係る携帯電子機器１を使用することで、ユーザの意思に基づきつつ、片手で表示倍率を変更することができる。
【００５４】
［変形例］
次に、第１の実施形態に係る携帯電子機器１の変形例について説明する。
【００５５】
携帯電子機器１では、ユーザがタッチパネルを所定の時間以上、押下した場合（所謂、タッチパネルの長押し）に、表示倍率変更モードに遷移する。しかし、操作部３０に含まれるタッチパネルが、押下点の圧力の検出が可能なデバイスであれば、タッチパネルの押下点に所定の力以上の力が加わった場合に、表示倍率変更モードに遷移することも考えられる。
【００５６】
さらに、距離測定部４０は、カメラモジュールが取得する画像に基づき、ユーザ距離を測定するのではなく、赤外線センサ等の距離センサを用いて、ユーザ距離を直接測定しても良い。
【００５７】
あるいは、携帯電子機器１の距離測定部４０が、加速度センサを含む場合には、携帯電子機器１の移動方向又は移動距離に応じて、表示倍率を変更してもよい。その際には、画面上の拡大を希望する位置に指を置き、右に移動させると表示を拡大、左に移動させると縮小のように、動作を切り替えてもよい。
【００５８】
なお、引用した上記の特許文献の開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００５９】
１、２、１００  携帯電子機器
１０、１０１  表示部
１１  押下位置
２０  レンズ
３０、１０２  操作部
４０、１０３  距離測定部
５０、１０４  制御部
６０  記憶部
【図１】
2014078823.tif 000003
【図２】
2014078823.tif 000004
【図３】
2014078823.tif 000005
【図４】
2014078823.tif 000006
【図５】
2014078823.tif 000007
【図６】
2014078823.tif 000008
【図７】
2014078823.tif 000009
【図８】
2014078823.tif 000010